(57)【要約】【課題】本発明は、利用者が情報を効率良く閲覧できるとともに、データ検索・収集、そして閲覧作業における利用者の時間と労力との軽減に寄与し得ることを目的としている。【解決手段】このため、各種データを格納する既設データベースを有する供給側装置と、既設データベースにインターネット接続可能な情報管理側端末装置と、情報管理側端末装置に接続される複数の利用者側端末装置とからなり、情報管理側端末装置は、情報管理用のユーザ側データベースを有するとともに、供給側装置の既設データベースを検索して任意のデータを抽出する機能と、抽出されたデータをユーザ側データベースに格納する機能と、所定の条件を満足するデータがユーザ側データベースに格納された場合に利用者側端末装置に閲覧可能であることを自動的に通知する機能とを付加して設けている。【選択図】図１
2006301987.tif 000002
【特許請求の範囲】
【請求項１】
各種データを格納する既設データベースを有する供給側装置と、この既設データベースにインターネット接続可能な情報管理側端末装置と、この情報管理側端末装置に接続される複数の利用者側端末装置とからなり、前記情報管理側端末装置は、情報管理用のユーザ側データベースを有するとともに、前記供給側装置の既設データベースを検索して任意のデータを抽出する機能と、この抽出されたデータを前記ユーザ側データベースに格納する機能と、所定の条件を満足するデータが前記ユーザ側データベースに格納された場合に前記利用者側端末装置に閲覧可能であることを自動的に通知する機能とを付加して設けたことを特徴とするインターネット接続を利用する情報自動取得・閲覧システム。
【請求項２】
前記情報管理側端末装置は、前記供給側装置の既設データベースを検索して任意のデータを抽出する際に、データを検出して抽出する作業頻度を任意に設定可能としたことを特徴とする請求項１に記載のインターネット接続を利用する情報自動取得・閲覧システム。
【請求項３】
前記情報管理側端末装置は、前記利用者側端末装置に閲覧可能であることを自動的に通知した後に、利用者側端末装置から閲覧要求があった場合には、前記ユーザ側データベースに格納される新規データや未読データのみを抽出して閲覧要求に応じるように設定されることを特徴とする請求項１に記載のインターネット接続を利用する情報自動取得・閲覧システム。
【発明の詳細な説明】
【技術分野】
【０００１】
この発明はインターネット接続を利用する情報自動取得・閲覧システムに係り、特に利用者に代わって、情報管理側端末装置が既設データベースを検索して任意のデータを抽出し、かつ抽出されたデータをユーザ側データベースに格納し、そして、所定の条件を満足するデータがユーザ側データベースに格納された場合に利用者側端末装置に閲覧可能であることを自動的に通知し、利用者が情報を効率良く閲覧できるとともに、データ検索・収集、そして閲覧作業における利用者の時間と労力との軽減に寄与し得るインターネット接続を利用する情報自動取得・閲覧システムに関するものである。
【背景技術】
【０００２】
近時、端末装置、例えばパーソナルコンピュータの発達に伴い、このパーソナルコンピュータをインターネット接続を利用して各種の既設データベースに接続し、各種情報の収集が盛んに行われている。
【０００３】
なお、端末装置としては、上記のパーソナルコンピュータ以外にも、携帯電話やモバイルも使用可能である。
【０００４】
【特許文献１】特開平１１−２３８０７４号公報
【特許文献２】特開２０００−１７２７１０号公報
【特許文献３】特開２００２−１８３３７０号公報
【特許文献４】特開２００２−３１２６８８号公報
【発明の開示】
【発明が解決しようとする課題】
【０００５】
ところで、従来のインターネット接続を利用する情報取得システムにおいては、既設データベースを有する供給側装置と利用者側端末装置とを直接インターネット接続する方策が常であり、利用者は、利用者側端末装置を使用して複数の供給側装置中から所望の供給側装置に接続し、供給側装置の有する既設データベース内から必要な情報を検索して収集している。
【０００６】
しかし、現在、インターネット上には多数の既設データベースがあり、利用者は、利用者側端末装置を使用して既設データベースを有する供給側装置のそれぞれに接続する必要があるとともに、利用者の必要とする情報を格納していない既設データベースも多々あり、利用者が必要とする情報を収集できるまでには、多大の時間と労力とを必要とするという不都合がある。
【０００７】
また、インターネット接続を利用する情報閲覧システムにおいては、上述した方策によって検出・収集した情報を１件毎に閲覧し、必要に応じて利用者側端末装置にダウンロードする方策が取られており、閲覧までに大なる時間と労力を必要とするとともに、的確な情報であるか否かの確認をも必要とし、改善が望まれていた。
【課題を解決するための手段】
【０００８】
そこで、この発明は、上述不都合を除去するために、各種データを格納する既設データベースを有する供給側装置と、この既設データベースにインターネット接続可能な情報管理側端末装置と、この情報管理側端末装置に接続される複数の利用者側端末装置とからなり、前記情報管理側端末装置は、情報管理用のユーザ側データベースを有するとともに、前記供給側装置の既設データベースを検索して任意のデータを抽出する機能と、この抽出されたデータを前記ユーザ側データベースに格納する機能と、所定の条件を満足するデータが前記ユーザ側データベースに格納された場合に前記利用者側端末装置に閲覧可能であることを自動的に通知する機能とを付加して設けたことを特徴とする。
【発明の効果】
【０００９】
以上詳細に説明した如くこの本発明によれば、各種データを格納する既設データベースを有する供給側装置と、既設データベースにインターネット接続可能な情報管理側端末装置と、情報管理側端末装置に接続される複数の利用者側端末装置とからなり、情報管理側端末装置は、情報管理用のユーザ側データベースを有するとともに、供給側装置の既設データベースを検索して任意のデータを抽出する機能と、この抽出されたデータをユーザ側データベースに格納する機能と、所定の条件を満足するデータがユーザ側データベースに格納された場合に利用者側端末装置に閲覧可能であることを自動的に通知する機能とを付加して設けたので、利用者が、利用者側端末装置を使用して既設データベースを有する供給側装置のそれぞれにインターネット接続しなくとも、所定の条件を満足するデータが前記ユーザ側データベースに格納された場合に、閲覧可能であることの通知を自動的に受信することができ、利用者は情報を効率良く閲覧でき、データ検索・収集、そして閲覧作業における利用者の時間と労力との軽減に寄与し得るとともに、前記情報管理側端末装置が既設データベースを検索して任意のデータを抽出し、かつ抽出されたデータを前記ユーザ側データベースに格納することにより、通知を受けた利用者は、的確な情報のみを閲覧することができ、所定の条件を満足するか否かの確認をする必要がなく、実用上有利である。
【発明を実施するための最良の形態】
【００１０】
上述の如く発明したことにより、情報管理用のユーザ側データベースを有するとともに、供給側装置の既設データベースを検索して任意のデータを抽出する機能と、この抽出されたデータをユーザ側データベースに格納する機能と、所定の条件を満足するデータがユーザ側データベースに格納された場合に利用者側端末装置に閲覧可能であることを自動的に通知する機能とを付加して設けた情報管理側端末装置によって、利用者が、利用者側端末装置を使用して既設データベースを有する供給側装置のそれぞれにインターネット接続しなくとも、所定の条件を満足するデータが前記ユーザ側データベースに格納された場合に、閲覧可能であることの通知を自動的に受信し、利用者は情報を効率良く閲覧でき、データ検索・収集、そして閲覧作業における利用者の時間と労力との軽減に寄与するとともに、前記情報管理側端末装置が既設データベースを検索して任意のデータを抽出し、かつ抽出されたデータを前記ユーザ側データベースに格納することにより、通知を受けた利用者は、的確な情報のみを閲覧し、所定の条件を満足するか否かの確認をする必要がない。
【実施例】
【００１１】
以下図面に基づいてこの発明の実施例を詳細に説明する。
【００１２】
図１〜図４はこの発明の実施例を示すものである。図２及び図３において、２はインターネット接続を利用する情報自動取得・閲覧システム、４は供給側装置、６は情報管理側端末装置、８は利用者側端末装置である。
【００１３】
前記情報自動取得・閲覧システム２は、図２及び図３に示す如く、各種データを格納する既設データベース１０を有する前記供給側装置４と、この既設データベース１０にインターネット接続可能な前記情報管理側端末装置６と、この情報管理側端末装置６にインターネット接続により接続される複数の前記利用者側端末装置８とからなる。
【００１４】
そして、前記供給側装置４は、図２に示す如く、サーバ等からなり、不動産情報やその他の情報等からなる各種データを格納するものである。このとき、この実施例においては、理解を容易とするために、前記供給側装置４を唯一のものとして説明するが、インターネット上には、多数の供給側装置が存在するため、２つ以上の供給側装置、つまり２つ以上の既設データベースとすることも可能である。
【００１５】
また、前記情報管理側端末装置６は、図２及び図３に示す如く、サーバあるいはパーソナルコンピュータからなり、前記供給側装置４の既設データベース１０にインターネット接続可能な状態に設けられる。
【００１６】
なお、この実施例においては、前記情報管理側端末装置６に関して、前記供給側装置４と別体、つまり独立した構成として説明するが、前記情報管理側端末装置６を前記供給側装置４に内蔵させ、前記供給側装置４の一部の機能として前記情報管理側端末装置６を使用する構成とすることも可能である。
【００１７】
更に、前記利用者側端末装置８は、図３に示す如く、携帯電話および／またはパーソナルコンピュータからなる。例えば、この実施例においては、理解を容易とするため、前記利用者側端末装置８を１つとするとともに、前記情報管理側端末装置６からの通知を受信する所定の機能を有する１つの携帯電話８−１と、詳細なデータを表示する１つのパーソナルコンピュータ８−２とからなる構成として説明するが、一般的な場合には、前記利用者側端末装置８は多数存在するものである。
【００１８】
このとき、前記情報管理側端末装置６は、情報管理用のユーザ側データベース１２を有するとともに、前記情報管理側端末装置６に、前記供給側装置４の既設データベース１０を検索して任意のデータを抽出する機能と、この抽出されたデータを前記ユーザ側データベース１２に格納する機能と、所定の条件を満足するデータが前記ユーザ側データベース１２に格納された場合に前記利用者側端末装置８に閲覧可能であることを自動的に通知する機能とを付加して設ける構成とする。
【００１９】
詳述すれば、前記情報管理側端末装置６において、前記供給側装置４の既設データベース１０を検索して任意のデータを抽出する機能は、情報管理側端末装置６を供給側装置４にインターネット接続を利用して接続した際に、情報管理側端末装置６側から任意の設定を行い、前記供給側装置４の既設データベース１０を検索し、任意のデータを収集して抽出するものである。
【００２０】
このとき、情報管理側端末装置６側からの任意の設定には、前記情報管理側端末装置６側において事前に設定される定型の検索設定や、前記利用者側端末装置８側からの希望により情報管理側端末装置６が行う任意設定があり、その条件の内容としては、不動産や金融等の業種名や映画やテレビ等の趣味名等のカテゴリー別のものや、単なるキーワード等が考えられる。
【００２１】
また、前記情報管理側端末装置６において、抽出されたデータを前記ユーザ側データベース１２に格納する機能は、情報管理側端末装置６を供給側装置４にインターネット接続を利用して接続し、情報管理側端末装置６側から任意の設定を行い、前記供給側装置４の既設データベース１０を検索して任意のデータを収集して抽出した際に、抽出したデータを情報管理側端末装置６のユーザ側データベース１２に格納するものである。
【００２２】
更に、前記情報管理側端末装置６において、所定の条件を満足するデータが前記ユーザ側データベース１２に格納された場合に前記利用者側端末装置８に閲覧可能であることを自動的に通知する機能は、情報管理側端末装置６のユーザ側データベース１２に格納されるデータから予め設定される所定の条件を満足するものの有無を検索し、所定の条件を満足するデータがある場合には、インターネット接続を利用して前記利用者側端末装置８に閲覧可能であることを自動的に通知するものである。
【００２３】
このとき、上記の所定の条件は、上述した前記情報管理側端末装置６側からの任意の設定と同様なものとすることが可能であるとともに、任意の設定を更に細かく区画した内容とすることも可能である。例えば、任意の設定を「不動産」とし、所定の条件を「マンション」あるいは「一戸建て」とする場合が考えられる。
【００２４】
そして、前記情報自動取得・閲覧システム２は、例えば、所定の条件を「不動産」とした場合に、図４に示す如き、複数の機能を有することとなる。
【００２５】
つまり、前記情報自動取得・閲覧システム２は、図４に示す如く、大別すると、自動取得システム機能Ａと、閲覧システム機能Ｂとを有する。
【００２６】
前記自動取得システム機能Ａは、抽出条件を設定する抽出条件設定機能Ａ−１と管理を行う管理機能Ａ−２とからなり、抽出条件設定機能Ａ−１は、物件検索条件を設定する物件検索条件設定機能Ａ−１１と抽出時間を設定する抽出時間設定機能Ａ−１２とを有する。
【００２７】
前記管理機能Ａ−２は、抽出ログを参照する抽出ログ参照機能Ａ−２１と参照先のＵＲＬ・ＩＤ・パスワードを設定する参照先ＵＲＬ・ＩＤ・パスワード設定機能Ａ−２２とを有する。
【００２８】
この参照先ＵＲＬ・ＩＤ・パスワード設定機能Ａ−２２において、ＩＤ・パスワードの複数設定が可能である。
【００２９】
また、前記閲覧システム機能Ｂは、メール配信を設定するメール配信設定機能Ｂ−１と物件の検索及び閲覧を可能にする物件検索・閲覧機能Ｂ−２とからなり、メール配信設定機能Ｂ−１は、配信先のメールアドレスの登録及び修正を行う配信先メールアドレス登録・修正機能Ｂ−１１と配信物件条件を設定する配信物件条件設定機能Ｂ−１２とを有する。
【００３０】
前記物件検索・閲覧機能Ｂ−２は、ＰＣ（「パーソナルコンピュータ」ともいう。）用検索及び閲覧を可能にするＰＣ用検索・閲覧機能Ｂ−２１とモバイル用検索及び閲覧を可能にするモバイル用検索・閲覧機能Ｂ−２２とを有する。
【００３１】
このとき、前記配信物件条件設定機能Ｂ−１２においては、複数設定が可能である。
【００３２】
更に、前記情報管理側端末装置６を、前記供給側装置４の既設データベース１０を検索して任意のデータを収集して抽出する際に、データを検出・収集して抽出する作業頻度を、例えば１２時間毎や１日毎等のように時間や日数等によって任意に設定する構成とすることも可能である。
【００３３】
更にまた、前記情報管理側端末装置６を、前記利用者側端末装置８に閲覧可能であることを自動的に通知した後に、利用者側端末装置８から閲覧要求があった場合には、前記ユーザ側データベース１２に格納される新規データや未読データのみを抽出して、前記利用者側端末装置８からの閲覧要求に応じるように設定する構成とすることも可能である。
【００３４】
次に作用を説明する。
【００３５】
前記情報自動取得・閲覧システム２の制御が開始（ステップ１０２）すると、図１に示す如く、前記情報管理側端末装置６は、この情報管理側端末装置６を前記供給側装置４にインターネット接続を利用して接続した際に、情報管理側端末装置６側から任意の設定を行い、前記供給側装置４の既設データベース１０を検索し、任意のデータを収集して抽出する（ステップ１０４）。
【００３６】
そして、前記情報管理側端末装置６は、抽出したデータを情報管理側端末装置６のユーザ側データベース１２に格納する（ステップ１０６）。
【００３７】
また、前記情報管理側端末装置６は、この情報管理側端末装置６のユーザ側データベース１２に格納されるデータから予め設定される所定の条件を満足するものの有無を検索し、所定の条件を満足するデータがある場合には、インターネット接続を利用して前記利用者側端末装置８に閲覧可能であることを自動的に通知（ステップ１０８）し、前記情報自動取得・閲覧システム２の制御をエンド（ステップ１１０）とする。
【００３８】
このとき、前記情報管理側端末装置６側から前記利用者側端末装置８側への自動的なインターネット接続を利用した通信は、物件が登録された旨の内容と物件を参照するＵＲＬとが予め登録されたメールアドレスに通知メールとして送信される。
【００３９】
そして、前記利用者側端末装置８側においては、所定の機能を有する携帯電話８−１あるいはパーソナルコンピュータ８−２を使用して連絡を受けたＵＲＬに、インターネット接続を利用して直接アクセスし、詳細なデータを閲覧し、確認する。
【００４０】
これにより、前記情報管理側端末装置６は、情報管理用のユーザ側データベース１２を有するとともに、前記情報管理側端末装置６に、前記供給側装置４の既設データベース１０を検索して任意のデータを抽出する機能と、この抽出されたデータを前記ユーザ側データベース１２に格納する機能と、所定の条件を満足するデータが前記ユーザ側データベース１２に格納された場合に前記利用者側端末装置８に閲覧可能であることを自動的に通知する機能とを付加して設ける構成としたことによって、利用者が利用者側端末装置６を使用して既設データベースを有する供給側装置４のそれぞれにインターネット接続しなくとも、所定の条件を満足するデータが前記情報管理側端末装置６のユーザ側データベース１２に格納された場合に、利用者は情報管理側端末装置６側から閲覧可能であることの通知を自動的に受信することができ、利用者は情報を効率良く閲覧でき、データ検索・収集、そして閲覧作業における利用者の時間と労力との軽減に寄与し得るとともに、前記情報管理側端末装置６が既設データベース１０を検索して任意のデータを抽出し、かつ抽出されたデータを前記ユーザ側データベース１２に格納することにより、通知を受けた利用者は、的確な情報のみを閲覧することができ、所定の条件を満足するか否かの確認をする必要がなく、実用上有利である。
【００４１】
また、前記情報管理側端末装置６を、前記供給側装置４の既設データベース１０を検索して任意のデータを抽出する際に、データを検出・収集して抽出する作業頻度を任意に設定可能に構成すれば、作業頻度を大として頻繁に行うように設定することによって、タイムラグの少ない、最新の情報を効率良く検索・収集して抽出することができるとともに、データの発生する時期を考慮して作業頻度が変化するように設定することによって、検索・収集して抽出する際のデータ個数を略一定とすることができ、前記情報管理側端末装置６の処理機能や記憶容量等を含めた装備基準を徒に大型化させる必要がなく、コストを低廉に維持し得るものである。
【００４２】
更に、前記情報管理側端末装置６を、前記利用者側端末装置８に閲覧可能であることを自動的に通知した後に、利用者側端末装置８から閲覧要求があった場合には、前記ユーザ側データベース１２に格納される新規データや未読データのみを抽出して閲覧要求に応じるように設定する構成とすれば、前記情報管理側端末装置６は利用者に、前記ユーザ側データベース１２に格納される新規データや未読データのみを抽出して閲覧にて提供することができ、前記情報管理側端末装置６側において古いデータや既読データを効率良く排除して、前記利用者側端末装置８における閲覧の作業性の向上に寄与し得るとともに、前記情報管理側端末装置６の提供データを常に最新状態に維持でき、利用者から高い信頼性を受けることができるものである。
【００４３】
なお、この発明は上述実施例に限定されるものではなく、種々の応用改変が可能である。
【００４４】
例えば、インターネット接続を利用する情報自動取得・閲覧システムにおいて、前記情報管理側端末装置は、前記利用者側端末装置に閲覧可能であることを自動的に通知した後に、利用者側端末装置から閲覧要求があった場合には、前記ユーザ側データベースに格納されるデータの閲覧頻度を示す数値を付加して閲覧要求に応じるように設定される特別構成とすることも可能である。
【００４５】
すなわち、一の利用者が利用者側端末装置を情報管理側端末装置にインターネット接続してデータを閲覧する際に、他の利用者の閲覧した閲覧頻度を示す数値、例えば閲覧回数を表示するものである。
【００４６】
さすれば、一の利用者がデータを閲覧する際に、他の利用者の閲覧した閲覧頻度を示す数値である閲覧回数が表示されるため、この閲覧回数の大小によって一の利用者がデータの重要度を測る目安とすることができ、インターネット接続を利用する情報自動取得・閲覧システムの使い勝手の向上に寄与し得るものである。
【図面の簡単な説明】
【００４７】
【図１】この発明の実施例を示すインターネット接続を利用する情報自動取得・閲覧システムの制御用フローチャートである。
【図２】インターネット接続を利用する情報自動取得・閲覧システムの情報自動取得部分を示す説明図である。
【図３】インターネット接続を利用する情報自動取得・閲覧システムの閲覧部分を示す説明図である。
【図４】インターネット接続を利用する情報自動取得・閲覧システムのシステム機能を示す説明図である。
【符号の説明】
【００４８】
２  情報自動取得・閲覧システム
４  供給側装置
６  情報管理側端末装置
８  利用者側端末装置
８−１  １つの携帯電話
８−２  １つのパーソナルコンピュータ
１０  既設データベース
１２  ユーザ側データベース
Ａ  自動取得システム機能
Ａ−１  抽出条件設定機能
Ａ−１１  物件検索条件設定機能
Ａ−１２  抽出時間設定機能
Ａ−２  管理機能
Ａ−２１  抽出ログ参照機能
Ａ−２２  参照先ＵＲＬ・ＩＤ・パスワード設定機能
Ｂ  閲覧システム機能
Ｂ−１  メール配信設定機能
Ｂ−１１  配信先メールアドレス登録・修正機能
Ｂ−１２  配信物件条件設定機能
Ｂ−２  物件検索・閲覧機能
Ｂ−２１  ＰＣ（「パーソナルコンピュータ」ともいう。）用検索・閲覧機能
Ｂ−２２  モバイル用検索・閲覧機能
【図１】
2006301987.tif 000003
【図２】
2006301987.tif 000004
【図３】
2006301987.tif 000005
【図４】
2006301987.tif 000006